(57)【特許請求の範囲】
【請求項１】
排水を受入れて処理する処理槽と、散気管と、逆洗管と、前記散気管及び前記逆洗管へ作動用エアーを供給するエアー供給手段とを有する排水処理装置であって、
前記エアー供給手段は、前記散気管に作動用エアーを供給する散気工程と、前記散気工程よりも高負荷の作動用エアーを前記逆洗管に供給する逆洗工程と、前記散気工程よりも高負荷の作動用エアーを前記散気管に供給する洗浄工程とを有するとともに、
前記洗浄工程を、前記散気工程から前記逆洗工程への切換時または前記逆洗工程から前記散気工程への切換時に行う構成であることを特徴とする排水処理装置。
【請求項２】
請求項１に記載した排水処理装置であって、
前記逆洗工程における作動用エアーの設定負荷と、前記洗浄工程における作動用エアーの設定負荷とが同一であることを特徴とする排水処理装置。
【請求項３】
請求項１または２に記載した排水処理装置であって、
前記処理槽内の処理水を、前記処理槽の上流側に設置の槽に移送可能なエアリフトポンプを備え、
前記エアー供給手段のエアー供給径路は、前記エアリフトポンプと前記散気管に対し並列的に接続されていることを特徴とする排水処理装置。
【請求項４】
請求項１〜３のいずれかに記載した排水処理装置であって、
前記エアー供給手段は、前記散気工程時における作動用エアーの負荷を前記洗浄工程時にパルス的に増加させるように構成されていることを特徴とする排水処理装置。
【請求項５】
請求項１〜４のいずれかに記載した排水処理装置であって、
前記エアー供給手段は、前記作動用エアーの負荷を可変とするブロワを用いて構成されることを特徴とする排水処理装置。
【請求項６】
請求項１〜５のいずれかに記載した排水処理装置であって、
前記散気管は、前記処理槽上部に向けて散気する構成であり、
前記逆洗管は、前記散気管の下方に配置して前記処理槽内を逆洗する構成であることを特徴とする排水処理装置。
【請求項７】
排水を受入れて処理する処理槽と、この処理槽上部に向けて散気する散気管と、前記散気管の下方に配置して前記処理槽内を逆洗する逆洗管とを有する排水処理装置において、
前記散気管に作動用エアーを供給する散気工程と、前記散気工程よりも高負荷の作動用エアーを前記逆洗管に供給する逆洗工程と、前記散気工程よりも高負荷の作動用エアーを供給して前記散気管を洗浄する洗浄工程とを有し、
前記洗浄工程を、前記散気工程から前記逆洗工程への切換時または前記逆洗工程から前記散気工程への切換時に行うことを特徴とする洗浄方法。
【発明の詳細な説明】
【０００１】
【発明の属する技術分野】
本発明は、排水処理を行う排水処理装置において設けられるエアー式作動装置につきその作動用エアーを用いてエアー式作動装置の洗浄を行う技術に関する。
【０００２】
【従来の技術】
従来、一般家庭等から排出される排水を受け入れて浄化し浄化水として排出する排水処理槽（浄化槽）において好気処理槽を有するものが知られている。この好気処理槽には、好気性微生物を着床させた担体が充填されており、散気装置からエアーを散気することによって好気性微生物に酸素を付与するようになっている。この散気装置はエアー供給配管に接続された散気管を有し、この散気管に形成された複数のエアー散気孔から所定風量のエアーが散気される。
【０００３】
【発明が解決しようとする課題】
ところで、上記のような構成の好気処理槽において、散気管にスケール等の堆積物・付着物が堆積・付着し目詰まりが発生すると、散気装置から供給されるエアーの散気風量が確保できない場合がある。このような場合には好適な生物処理を行うことができないという不具合が発生することから、散気管の目詰まりを合理的に解消する技術に対する要請が高まっている。そこで従来より、散気管の各種の洗浄方法が提案されている。例えば、散気管の目詰まりが発生したとき散気管を処理槽から取外し、この散気管に例えば水道水等の水供給管を接続する。そして、水供給管から供給される水道水の水圧（水流）によって散気管内のスケール等の堆積物・付着物を吹き飛ばし、散気管の目詰まりを解消する方法が用いられる。しかしながら、このような方法では、散気管の目詰まりを確実に解消するのには有効であるものの、散気管の洗浄を行うに際し作業自体が煩雑になるうえに、好気処理槽の運転を一旦停止する必要があるという問題がある。
そこで、本発明は以上のような点に鑑みてなされたものであり、その課題とするところは、排水を受入れて処理する処理槽と、この処理槽に配置されるエアー式作動装置と、このエアー式作動装置へ作動用エアーを供給するエアー供給手段とを有する排水処理装置において、エアー式作動装置の洗浄を合理的に行うのに有効な技術を提供することである。
【０００４】
【課題を解決するための手段】
前記課題を解決するために、本発明の排水処理装置は請求項１〜６に記載の通りに構成される。また、本発明の排水処理装置における洗浄方法は請求項７に記載の通りである。なお、これら各請求項に係る発明は、排水を受入れて処理する処理槽と、散気管と、逆洗管と、この散気管及び逆洗管へ作動用エアーを供給するエアー供給手段とを有する排水処理装置において、散気管の作動時よりも高負荷の作動用エアーをこの散気管へ供給するように設定し、この高負荷の作動用エアーを用いることで散気管の洗浄を合理的に行うことができるようにした技術である。従って、本発明は、単に高負荷のエアーを散気管の洗浄用として用いる技術に止まるものではなく、本来散気管を作動状態とする作動用エアーを高負荷に設定したうえでこの高負荷の作動用エアーを用いて散気管の洗浄を行うという特徴を有する。
【０００５】
請求項１に記載の排水処理装置には、処理槽、散気管、逆洗管、エアー供給手段が設けられている。処理槽は、槽内において排水の所定の処理を行うものであり、１または複数の処理槽によって排水処理装置を構成する。散気管及び逆洗管は、作動用エアーが供給されることによって散気管自体または逆洗管自体が作動する構成を有するものである。エアー供給手段は、エアー式作動装置へ作動用エアーを供給するものであり、例えば高圧エアーを吐出するブロワを用いた構成や、エアーボンベ等から高圧エアー供給する構成等を適宜用いる。
本発明の排水処理装置では、このエアー供給手段が散気工程（第１の設定モード）と洗浄工程（第２の設定モード）と逆洗工程とに設定される構成となっている。散気工程では、散気管を作動可能とする所定負荷の作動用エアーが供給されるように設定される。すなわち、散気工程では、少なくとも散気管を作動させることができるだけの負荷の作動用エアーが供給され、逆洗工程では、少なくとも逆洗管を作動させることができるだけの負荷の作動用エアー（散気工程時よりも高い負荷の作動用エアー）が供給される。そして洗浄工程では、散気工程時よりも高い負荷の作動用エアーが散気管に供給されるように設定される。ここでいう作動用エアーの「負荷」とは、好適には風量（流量）、圧力を示すものであり、その他の因子、例えば流速、加速度等を広く含む主旨である。例えば、相対的に風量が多い場合や圧力が高い場合を高負荷と定義するものとし、反対に相対的に風量が少ない場合や圧力が低い場合を低負荷と定義するものとする。作動用エアーの負荷を切り替える構成としては、作動用エアーの負荷を可変とする一基のブロワを用いる構成、複数種類のブロワの組合せ或いは切り替えによって作動用エアーの負荷を可変とする構成等がある。
散気工程に対し洗浄工程を設けることによって、高負荷の作動用エアーを用いて散気管に堆積・付着し得るスケール等の堆積物・付着物の合理的な洗浄が可能となる。すなわち、散気工程時に散気管に堆積・付着した堆積物・付着物を、洗浄工程における高負荷の作動用エアーを用いて吹き飛ばし除去することが可能となる。また、洗浄工程における高負荷の作動用エアーを用いることで、散気管に堆積物・付着物が堆積・付着すること自体を防止することが可能となる。そして本発明の排水処理装置は、洗浄工程を、散気工程から逆洗工程への切換時または逆洗工程から散気工程への切換時に行う構成である。このように、本発明でいう「洗浄」には、堆積・付着した堆積物・付着物を除去する態様のみならず、堆積物・付着物が堆積・付着するのを防止する態様等をも含むものとする。このような洗浄を行うことで、散気管の洗浄に際し従来のごとく作業自体が煩雑になることがなく、しかも処理槽の運転を停止する必要がない。また、散気管を作動状態とする作動用エアーを洗浄用として用いるため合理的である。
なお、洗浄工程では、作動用エアーを堆積物・付着物に直接作用させることでこの堆積物・付着物の洗浄を行ってもよいし、あるいは作動用エアーのエアー流れによって流動する処理水を堆積物・付着物に作用させることで洗浄を行ってもよい。また、散気工程に対し作動用エアーの負荷を相対的に高める態様、例えば、作動用エアーの負荷増加速度、負荷増加比率、高負荷を維持する時間、実施頻度等は必要に応じて種々選択可能である。また散気工程に対し作動用エアーの負荷を、例えばパルス的、或いは段階的に増加させることができる。
【０００６】
また、排水処理装置では、散気管（散気部）がエアー供給手段と接続して、エアー供給手段から供給された作動用エアーを散気エアーとして処理槽の処理水に対し散気する構成を有する。このような散気管は、散気管にスケール等の堆積物・付着物が堆積・付着し目詰まりを起こす場合があり、このような場合には、例えば散気エアーの散気風量を確保するのが難しくなる。散気風量が確保されないと、例えば処理水の均等な曝気攪拌を行うことができないという問題や、好気性微生物に付与される酸素が不足し良好な生物処理を行うことができないという問題がある。そこで、本発明のエアー供給手段を用いて散気管の洗浄を行うことで散気管からの散気風量を確保することができ、したがって良好な処理を行うことを可能とする。なお、ここでいう「処理水」は、所定の処理がなされる前のもの（実質的な被処理水）、或いは所定の処理がなされた後のもの（実質的な処理水）を広く含むものとする。
そして排水処理装置は、請求項２に記載のように、逆洗工程における作動用エアーの設定負荷と、洗浄工程における作動用エアーの設定負荷は同一としてもよい。
【０００７】
また、請求項３に記載の排水処理装置では、エアー供給手段のエアー供給径路がエアリフトポンプ及び散気管に対し並列的に接続される構成を有する。すなわち、エアー供給手段から供給されるエアーは、処理槽内の処理水を処理槽の上流側に配置の槽に移送可能なエアリフトポンプと散気管とに分配されて供給されるようになっている。このような排水処理装置は、散気管に堆積物・付着物が堆積・付着すると散気管自体に作動用エアーが供給されにくくなり、エアリフトポンプへ作動用エアーの負荷がシフトする。従って、エアリフトポンプの本来の性能を維持するのが難しくなる。このような排水処理装置において、本発明のエアー供給手段を適用することによって、散気管の洗浄を合理的に行うことを可能とするうえに、エアリフトポンプに及ぼす影響を極力抑えることができ、排水処理装置自体の処理性能を維持することができる。
【０００８】
ここで、請求項１〜３に記載のエアー供給手段は、請求項４に記載のように、散気工程時における作動用エアーの負荷を洗浄工程時にパルス的に増加させるのが好ましい。ここでいう「パルス的」とは、作動用エアーの負荷を増加させる速度が高い態様であり、具体的には微小時間で散気工程から洗浄工程に切り替えるような態様をいう。作動用エアーの負荷をパルス的に増加させることで、作動用エアーの負荷を徐々に増加させていく場合に比して堆積物・付着物に及ぼす作用を強めることができ、散気管の洗浄をより効果的に行うことができる。
【０００９】
また、請求項１〜４に記載のエアー供給手段は、請求項５に記載のように、作動用エアーの負荷を可変とするブロワを用いて構成されるのが好ましい。これにより、一基のブロワを用いて作動用エアーの負荷を変更することができ、散気管の洗浄を行う構成を低コストで実現することができる。
また請求項１〜５に記載の排水処理装置は、請求項６に記載のように、散気管は、処理槽上部に向けて散気する構成であり、逆洗管は、散気管の下方に配置して処理槽内を逆洗する構成であることが好ましい。
【００１０】
請求項７に記載の洗浄方法によれば、作動用エアーの負荷を通常時よりも高く設定するモード（洗浄工程）を設けることで、散気管の洗浄を合理的に行うことができる。
【００１１】
また、請求項７に記載の洗浄方法は、逆洗工程の高負荷の作動用エアーを用いて洗浄工程を行う構成であってもよい。このようにすれば、散気部を有する散気管の洗浄を合理的に行うことができる。
【００１２】
また、請求項７に記載の洗浄方法は、散気管の洗浄を合理的に行うことを可能とするうえに、エアリフトポンプに及ぼす影響を極力抑える構成であってもよい。このようにすれば、排水処理装置自体の処理性能を維持することができる。
【００１３】
また、請求項７に記載の洗浄方法は、作動用エアーの負荷をパルス的に増加させる構成であってもよい。このようにすれば、作動用エアーの負荷を徐々に増加させていく場合に比して堆積物・付着物に及ぼす作用を強めることができ、散気管の洗浄をより効果的に行うことができる。
【００１４】
また、請求項７に記載の洗浄方法は、一基のブロワを用いて作動用エアーの負荷を変更する構成であってもよい。このようにすれば、散気管の洗浄を行う構成を低コストで実現することができる。
【００１５】
【発明の実施の形態】
以下に、本発明の一実施の形態を図面に基づいて説明する。なお、本実施の形態は、一般家庭等から排出される排水を受け入れて浄化し浄化水として排出する排水処理槽（浄化槽）につき、この排水処理槽に設置される散気装置の洗浄技術に本発明を適用した場合について説明するものである。
ここで、図１は本発明における排水処理装置の一実施の形態の排水処理槽１の構成を示す模式図である。図２は図１中の担体流動生物濾過槽３０の構成を示す模式図である。
【００１６】
図１に示すように、本発明における排水処理装置としての排水処理槽１には、流入管２および放流管３が設けられている。例えば一般家庭から排出された家庭用排水を流入管２を介して排水処理槽１へ受入れ、排水処理槽１内で連続的に浄化処理し、浄化処理した後の処理水を放流管３を介して放流する構成を有する。なお、本実施の形態では、排水処理槽１において所定の処理がなされる前の実質的な処理水、所定の処理がなされた後の実質的な処理水を、単に「処理水」というものとする。
【００１７】
排水処理槽１は、処理行程の順に対応して、上流（図１中の左側）から順に第１嫌気濾床槽１０、第２嫌気濾床槽２０、担体流動生物濾過槽３０（本発明における処理槽に対応している）、処理水槽４０、消毒槽５０を備えている。
第１嫌気濾床槽１０と第２嫌気濾床槽２０との間には、これら両槽を区画する仕切壁４が設けられている。第２嫌気濾床槽２０と担体流動生物濾過槽３０との間には、これら両槽を区画する仕切壁５が設けられている。担体流動生物濾過槽３０と処理水槽４０との間には、これら両槽を区画する仕切壁６が設けられている。処理水槽４０と消毒槽５０との間には、これら両槽を区画する越流堰７が設けられている。
【００１８】
流入管２から受入れられた排水は、まず第１嫌気濾床槽１０で処理され、次いで第１嫌気濾床槽１０から仕切壁４を越えて第２嫌気濾床槽２０へ移流し、第２嫌気濾床槽２０で処理される。また、第２嫌気濾床槽２０で処理された処理水は、仕切壁５を越えて担体流動生物濾過槽３０へ移流し、担体流動生物濾過槽３０で処理される。また、担体流動生物濾過槽３０で処理された処理水は仕切壁６の下方を通って処理水槽４０へ移流する。処理水槽４０内の処理水は、後述する散気運転時においてその一部がエアーリフト式の流体移送構造を有する第１エアリフトポンプ７０を介して第１嫌気濾床槽１０へ戻され、残りは越流堰７を越えて消毒槽５０へ移流する。消毒槽５０へ流入した処理水は、その後、放流管３から系外へ放流される。
【００１９】
次に、排水処理槽１の各槽の構成を詳細に説明する。
まず、嫌気濾床槽１０，２０には各々濾床１１，２１が形成されている。これら濾床１１，２１には、有機汚濁物質を嫌気処理（還元）する嫌気性微生物を着床させた所定量の濾材Ｃ１，Ｃ２が充填されている。従って、排水中の有機汚濁物質は、嫌気濾床槽１０，２０の嫌気性微生物によって嫌気処理される。そして、嫌気濾床槽１０，２０で処理された処理水は、各々濾床１１，２１を図１中の矢印方向へ降流するように構成されている。
【００２０】
図２に示すように、担体流動生物濾過槽３０の槽本体３１には上部多孔部材３８および下部多孔部材３９が設けられている。これら多孔部材間の担体充填部３２には、好気性微生物を着床させた所定量の粒状担体Ｃ３が槽内を流動できる程度に充填されている。これら多孔部材３８，３９は処理水の移動は許容するが粒状担体Ｃ３の移動は防止するように構成されている。粒状担体Ｃ３は、例えば粒状の中空円筒形に形成されている。この粒状担体Ｃ３には、処理水中の有機汚濁物質を好気処理（酸化）する好気性微生物が着床されている。そして、担体流動生物濾過槽３０で好気処理された処理水は、担体充填部３２を図１中の矢印方向へ降流するように構成されている。なお、粒状担体Ｃ３は、その材質としては、例えばパーライト、シラスバルーン、発泡コンクリート、活性炭、多孔質セラミック、多孔質硝子等の無機担体、ポリエチレン、ポリプロピレン、ポリ塩化ビニル、ポリウレタン等の合成樹脂担体を広く用いることができる。
【００２１】
また、担体流動生物濾過槽３０には、ブロワ８０を介して槽内の処理水に対してエアーを供給する散気装置３５および逆洗装置３６が設けられている。このエアーは、散気装置３５および逆洗装置３６を作動状態とする作動用としてブロワ８０から供給される。散気装置３５は後述する散気運転時に用いられ、逆洗装置３６は後述する逆洗運転時に用いられる。散気装置３５は複数のエアー供給孔を有する散気管３５ａを備え、逆洗装置３６は複数のエアー供給孔を有する逆洗管３６ａを備えている。なお、散気管３５ａは槽内において逆洗管３６ａよりも上方に設けられている。
【００２２】
ブロワ８０の吐出部には、第１エアー供給配管７３および第２エアー供給配管９３が設けられている。第１エアー供給配管７３は、分配弁７３ａを介して散気管３５ａおよび後述する吸入管７１に接続されている。すなわち、ブロワ８０から第１エアー供給配管７３へ吐出されたエアーは、本発明における作動用エアーとして散気装置３５側と第１エアリフトポンプ７０側とに並列的に供給される構成になっている。この第１エアー供給配管７３が本発明におけるエアー供給径路を構成するものであり、この第１エアー供給配管７３、分配弁７３ａおよびブロワ８０等によって本発明のエアー供給手段が構成されている。
第２エアー供給配管９３は、分配弁９３ａを介して逆洗管３６ａおよび後述する吸入管９１に接続されている。すなわち、ブロワ８０から第２エアー供給配管９３へ吐出されたエアーは、各装置の作動用として逆洗装置３６側と第２エアリフトポンプ９０側とに並列的に供給される構成になっている。
【００２３】
散気装置３５から槽内にエアーが供給されると、散気管３５ａよりも上層に散気運転時における好気処理領域３３（生物処理領域）が形成され、散気管３５ａよりも下層に散気運転時における濾過処理領域３４が形成される。また、このとき好気処理領域３３の粒状担体Ｃ３は処理水とともに槽内を流動するようになっている。一方、逆洗装置３６からエアーが供給されると、担体充填部３２（好気処理領域３３および濾過処理領域３４）の粒状担体Ｃ３全体が処理水とともに槽内を流動するようになっている。
【００２４】
図１に戻って、前記した第１エアリフトポンプ７０は、吸入側端部が処理水槽４０の底部に浸漬される吸入管７１、この吸入管７１の上部から第１嫌気濾床槽１０の方向へ水平に延びる排出管７２を備え、吸入管７１に前記の第１エアー供給配管７３が接続されている。この吸入管７１内へ作動用のエアーが供給されることによって、処理水槽４０の処理水は吸入管７１から吸入され、吸入管７１および排出管７２内を移送され、排出管７２の流出側端部から第１嫌気濾床槽１０へ排出される。すなわち、後述する散気運転時に、処理水槽４０の処理水は、第１エアリフトポンプ７０を介して、処理水槽４０よりも上流側の第１嫌気濾床槽１０との間で循環されることとなる。
【００２５】
処理水槽４０には、第１エアリフトポンプ７０とほぼ同様の構成を有する第２エアリフトポンプ９０が設けられている。この第２エアリフトポンプ９０は、後述する逆洗運転時に用いられる。第２エアリフトポンプ９０は、吸入側端部が担体流動生物濾過槽３０の底部に浸漬される吸入管９１、この吸入管９１の上部から第１嫌気濾床槽１０の方向へ水平に延びる排出管９２を備え、吸入管９１に前記の第２エアー供給配管９３が接続されている。この吸入管９１内へ作動用のエアーが供給されることによって、担体流動生物濾過槽３０の処理水は逆洗水として吸入管９１から吸入され、吸入管９１および排出管９２内を移送され、排出管９２の流出側端部から第１嫌気濾床槽１０へ排出される。第２エアリフトポンプ９０へ供給されるエアー量は、例えば第１エアリフトポンプ７０へ供給されるエアー量よりも多くなるように設定される。これにより、循環水の移送量よりも逆洗水の移送量の方を多くすることができ、より短時間で担体流動生物濾過槽３０の逆洗運転を行うことができる。
【００２６】
消毒槽５０は消毒剤注入装置（図示省略）を備えており、処理水槽４０から流入する処理水の消毒処理を行い、消毒処理後の処理水を放流管３を通じて放流するように構成されている。
【００２７】
次に、主として担体流動生物濾過槽３０および処理水槽４０における排水処理方法について図１、図５、図６等を参照しながら説明する。ここで、図５は担体流動生物濾過槽３０の散気運転時の状態を示す模式図であり、図６は担体流動生物濾過槽３０の逆洗運転時の状態を示す模式図である。
【００２８】
担体流動生物濾過槽３０では散気運転と逆洗運転が行われるように構成されている。図５に示すように、散気運転では、ブロワ８０から吐出されたエアーは分配弁７３ａを介して第１エアー供給配管７３へのみ供給され、散気装置３５および第１エアリフトポンプ７０が作動される。
このとき、散気装置３５の散気管３５ａから散気されたエアーによって、好気処理領域３３の処理水および粒状担体Ｃ３が流動化する。これにより、処理水中の有機汚濁物質は、酸素が存在する好気性条件下において好気性微生物によって好気処理（酸化）される。また、この好気処理の際に発生するＳＳ（Suspended Solid）等の被濾過物は、濾過処理領域３４の粒状担体Ｃ３によって濾過される。
【００２９】
また、散気運転時に、第１エアリフトポンプ７０の吸入管７１へ供給されたエアーによって第１エアリフトポンプ７０が作動する。これにより、処理水槽４０の処理水の一部は、吸入管７１から吸入され、排出管７２を介して循環水として第１嫌気濾床槽１０へ移送され、それ以外の処理水は処理水槽４０へ移流する。このように循環水を担体流動生物濾過槽３０よりも上流側の槽へ循環させることにより、１パスで処理する場合に比して処理効率を向上させることができる。また、嫌気処理を行う第１嫌気濾床槽１０へ循環水を移送することで、処理水中の窒素化合物を窒素ガスに還元し、窒素ガスとして除去することができる。また、逆洗運転時に処理水槽４０に残留したＳＳ等の被濾過物を、第１嫌気濾床槽１０において回収することができる。なお、第１嫌気濾床槽１０の代わりにあるいは第１嫌気濾床槽１０の上流に、固液分離を行う夾雑物除去槽を設け、処理水槽４０に残留したＳＳ等の被濾過物を夾雑物除去槽において回収するように構成することもできる。
【００３０】
一方、図６に示すように、逆洗運転では、ブロワ８０から吐出されたエアーの供給先が第１エアー供給配管７３から第２エアー供給配管９３へ切り替わる。ブロワ８０から吐出されたエアーは分配弁９３ａを介して第２エアー供給配管９３へのみ供給され、逆洗装置３６および第２エアリフトポンプ９０が作動される。これにより散気運転が終了し、逆洗運転が開始されることとなる。
このとき、逆洗装置３６の逆洗管３６ａから供給されたエアーによって、槽内全体の処理水および粒状担体Ｃ３が流動化する。これにより、散気運転時に粒状担体Ｃ３によって濾過されたＳＳ等の被濾過物は、粒状担体Ｃ３から剥離する。なお、逆洗運転時に逆洗装置３６から供給されるエアー量は、散気運転時に散気装置３５から散気されるエアー量よりも多くなるように設定されるのが好ましい。このように設定することにより、粒状担体Ｃ３で捕捉した被濾過物を剥離させ易い。
【００３１】
また、逆洗運転時に、第２エアリフトポンプ９０の吸入管９１へ供給されたエアーによって第２エアリフトポンプ９０が作動する。これにより、粒状担体Ｃ３から剥離した被濾過物等を含む処理水は、吸入管９１から吸入され、排出管９２を介して逆洗水として第１嫌気濾床槽１０へ移送される。而して、ＳＳ等の被濾過物は担体流動生物濾過槽３０から抜き出され、槽内が洗浄され、濾過処理領域３４における粒状担体の閉塞が防止されることとなる。
【００３２】
次に、本実施の形態の特徴部分であるブロワ８０の設定および散気装置３５の洗浄方法について図３を参照しながら説明する。ここで、図３は散気装置３５における散気風量の変更パターンを示す図である。
【００３３】
本実施の形態のブロワ８０は風量可変型であり、詳細な構成は省略するものの吐出風量を変更可能な構成を有する。ブロワ８０には、その吐出風量、吐出圧力等を制御するコントローラ（図示省略）が内蔵されている。
本実施の形態では、ブロワ８０は、通常行程と洗浄行程とが設定される構成となっている。通常行程では、主として担体充填部３２への散気を行い、担体流動生物濾過槽３０の処理水の好気処理および濾過処理を行うように設定されている。この通常行程が本発明における散気工程に対応している。
一方、洗浄行程では、主として散気管３５ａの洗浄を行うように設定されている。すなわち、この洗浄行程では、散気装置３５へのエアー供給量を通常行程時よりも増やし、これにより散気管３５ａに堆積・付着するスケール等の堆積物・付着物を吹き飛ばし、或いは堆積物・付着物が堆積・付着するのを防止することで散気管３５ａの目詰まりを解消することができる。
【００３４】
洗浄行程時において、ブロワ８０は、例えば図３に示すような変更パターンに基づいて制御される。すなわち、通常行程では、担体流動生物濾過槽３０において好気処理および濾過処理を行うのに必要とされる所定風量Ｑ1のエアーを散気管３５ａから散気するようにブロワ８０を制御する。洗浄行程時では、散気管３５ａから散気される風量Ｑ2を所定時間（洗浄時間Δｔ）、風量Ｑ1よりも増加させるようにブロワ８０を制御する。ここでいう風量Ｑ1，Ｑ2が本発明における負荷に対応している。ここでは通常行程時よりも洗浄行程時の方が散気風量が多く、したがって洗浄行程時の方が相対的に高負荷となる。
このような洗浄行程を設けることによって、散気管３５ａ内を通過するエアーの流速を上昇させ、散気管３５ａ内のスケール等の堆積物・付着物をエアー流れによって吹き飛ばすことができる。従って、散気管３５ａに堆積物・付着物が堆積・付着したときの目詰まりの解消、また散気管３５ａに堆積物・付着物が堆積・付着すること自体の防止といった洗浄効果を得るのに有効である。
しかも、本実施の形態では、洗浄行程時の風量Ｑ2が通常行程時の風量Ｑ1の１．３倍以上となるように設定されている。換言すれば、通常行程時の風量Ｑ1の０．３倍が増加風量ΔＱとなる。このように設定することで、散気管３５ａの高い洗浄効果を得ることができる。また、本実施の形態では、通常行程時におけるエアーの風量（負荷）を、洗浄行程時にパルス的に増加させるように設定されている。このように設定することで、堆積物・付着物に及ぼす作用を強めることができ、散気管３５ａの洗浄をより効果的に行うことができる。更には、本実施の形態では、ブロワ８０が定期的に自動で洗浄行程を行うように設定されている。このように設定することで、洗浄状態の維持や管理が容易になる。
上記洗浄行程は、逆洗行程から散気行程または、散気行程から逆洗行程への切替時に行う。これにより、散気行程および逆洗行程の一連の運転の中で定期的に洗浄行程が実施されることとなり合理的である。
【００３５】
なお、本発明者らは、所定の散気風量Ｑ2（＞１．３Ｑ1）で洗浄行程を行う場合の効果を検証するべく下記の試験を行った。この試験の結果を図４等を参照しながら説明する。ここで、図４は第１エアリフトポンプ７０による循環水量の経日変化を示す図である。なお、散気装置３５における散気風量は図３に示す変更パターンに基づいて設定した。
[試験条件]
１）通常行程時の風量Ｑ1：４０リットル／分
２）洗浄行程時の風量Ｑ2：８０リットル／分（＞１．３Ｑ1）
３）洗浄行程時の洗浄時間Δｔ：３０秒（１回／日の洗浄）
[測定項目]
１）洗浄行程を設定した場合の、第１エアリフトポンプ７０による循環水量
の経日変化
２）洗浄行程を設定しない場合の、第１エアリフトポンプ７０による循環水
量の経日変化
【００３６】
図４に示すように、上記試験の結果、洗浄行程を設定して散気管３５ａの洗浄を行う場合（図４中の●プロット）は、散気管３５ａの洗浄を行なわない場合（図４中の□プロット）に比して第１エアリフトポンプ７０による循環水量の上昇を抑えることができることが確認された。すなわち、ブロワ８０から第１エアー供給配管７３へ吐出されたエアーは、分配弁７３ａを介して散気装置３５側と第１エアリフトポンプ７０側とに並列的に供給されるため、散気管３５ａの目詰まりの度合いが大きくなると、エアーの供給比率が第１エアリフトポンプ７０側にシフトし、結果的に循環水量が増加することとなる。換言すれば、第１エアリフトポンプ７０による循環水量の変動から散気管３５ａの目詰まりの度合いを把握することが可能となる。この点を踏まえたうえで図４を参照すると、散気管３５ａの洗浄を行なわない場合はスケール等の堆積物・付着物により目詰まりが発生し、その度合いは日数の経過に伴って増大することが判る。一方、洗浄行程を設定して散気管３５ａの洗浄を行う場合は堆積物・付着物による目詰まりの発生自体を防止でき、またその状態を長期間にわたって維持できることが判る。
【００３７】
以上のように、本実施の形態によれば、散気装置３５へ供給される作動用のエアーの風量を通常行程時よりも高く設定する洗浄行程を設けることで、散気装置３５を作動状態とする作動用エアーを散気管３５ａの洗浄用として用いた合理的な洗浄が可能となる。
また、本実施の形態によれば、散気管３５ａの洗浄を行うことで担体流動生物濾過槽３０における好気処理を良好に行うことができるうえに、第１エアリフトポンプ７０による循環水の循環水量を安定化させることができる。
また、本実施の形態によれば、洗浄行程においてエアーの風量をパルス的に増加させることで、エアーの風量を徐々に増加させていく場合に比してスケール等の堆積物・付着物に及ぼす作用を強めることができ、散気管３５ａの洗浄をより効果的に行うことができる。
また、本実施の形態によれば、一基の風量可変型ブロワ８０を用いてエアーの風量を変更することができ、散気管３５ａの洗浄を行う構成を低コストで実現することができる。
また、本実施の形態によれば、ブロワ８０が定期的に自動で洗浄行程を行うように設定することで、洗浄状態の維持や管理が容易になる。
【００３８】
〔他の実施の形態〕
なお、本発明は上記の実施の形態のみに限定されるものではなく、種々の応用や変形が考えられる。例えば、上記実施の形態を応用した次の各形態を実施することもできる。
【００３９】
（Ａ）本実施の形態では、風量可変型の吐出ブロワ８０を用いることで散気装置３５へ供給するエアーの風量を変更する場合について記載したが、散気装置３５へ供給するエアーの風量を変更する構成はこれに限定されるものではなく、必要に応じて種々変更可能である。散気装置３５へ供給するエアーの風量を変更する別の構成を図７および図８を参照しながら説明する。ここで図７および図８はいずれも、散気装置３５への風量を変更する構成の別の実施の形態を示す模式図である。
図７に示す構成では、二基のブロワＢ−１，Ｂ−２が設けられている。ブロワＢ−２の吐出径路は、切替弁Ｖを介してブロワＢ−１の吐出径路に接続可能になっている。このような構成において、散気運転時の通常行程では、ブロワＢ−１によって散気装置３５に所定風量Ｑ1のエアーを供給し散気管３５ａから散気する。一方、洗浄行程では、ブロワＢ−２の吐出径路をブロワＢ−１の吐出径路に接続しエアーの供給先を変更する。これにより散気装置３５へ供給されるエアーの風量を風量Ｑ2に増加することが可能となる。
図８に示す構成では、吐出風量の異なる二基のブロワＢ−１，Ｂ−２が設けられている。ブロワＢ−２は逆洗運転用であり、散気運転用のブロワＢ−１よりも吐出風量が多い構成となっている。ブロワＢ−１およびブロワＢ−２の吐出径路は、切替弁Ｖ１およびＶ２を介して互いに入れ替え可能になっている。このような構成において、散気運転時の通常行程では、ブロワＢ−１によって散気装置３５に所定風量Ｑ1のエアーを供給し散気管３５ａから散気する。一方、洗浄行程では、ブロワＢ−１の吐出径路を逆洗装置３６側に接続し、反対にブロワＢ−２の吐出径路を散気装置３５側に接続する。これにより散気装置３５へ供給されるエアーの風量を風量Ｑ2に増加することが可能となる。
【００４０】
（Ｂ）また、本実施の形態では、通常行程時に散気装置３５へ供給されるエアーの風量を、洗浄行程時に増加させることによって散気管３５ａの洗浄を行う場合につい記載したが、洗浄行程時に風量以外のエアーの負荷因子、例えば圧力、流速、加速度等を増加させてもよい。
【００４１】
（Ｃ）また、本実施の形態では、通常行程時におけるエアーの風量を洗浄行程時にパルス的に増加させる場合について記載したが、エアーの風量を増加させる態様はこれに限定されるものではない。例えば、エアーの風量増加速度、風量増加比率等を必要に応じて種々変更することができる。
【００４２】
（Ｄ）また、本実施の形態では、洗浄行程時の洗浄時間Δｔを３０秒に設定し、この洗浄行程を１回／日の頻度で行う場合について記載したが、洗浄時間、実施頻度等は、スケール等の堆積物・付着物の種類、堆積・付着状況等に応じて種々変更可能である。例えば、通常行程時の１．３倍の風量、３０秒以上の洗浄時間、１回／日以上の頻度で、エアーの風量をパルス的に増加させた洗浄行程を行うのが好ましい。
【００４３】
（Ｅ）また、本実施の形態では、エアーが供給されることによって作動する散気装置３５の洗浄技術について記載したが、エアーが供給されることによって作動するその他のエアー式作動装置、例えば処理水の移送を行うエアリフトポンプの洗浄技術に本発明を適用することもできる。エアリフトポンプを洗浄する場合は、エアー流れによって流動する処理水をエアリフトポンプに堆積・付着するスケール等の堆積物・付着物に作用させることで洗浄を行うことができる。
【００４４】
【発明の効果】
以上説明したように、本発明によれば、排水を受入れて処理する処理槽と、散気管と、逆洗管と、散気管及び逆洗管へ作動用エアーを供給するエアー供給手段とを有する排水処理装置において、散気管の洗浄を合理的に行うのに有効な技術を実現することができる。
【図面の簡単な説明】
【図１】  本発明における排水処理装置の一実施の形態の排水処理槽１の構成を示す模式図である。
【図２】  図１中の担体流動生物濾過槽３０の構成を示す模式図である。
【図３】  散気装置３５における散気風量の変更パターンを示す図である。
【図４】  第１エアリフトポンプ７０による循環水量の経日変化を示す図である。
【図５】  担体流動生物濾過槽３０の散気運転時の状態を示す模式図である。
【図６】  担体流動生物濾過槽３０の逆洗運転時の状態を示す模式図である。
【図７】  散気装置３５への風量を変更する構成の別の実施の形態を示す模式図である。
【図８】  散気装置３５への風量を変更する構成の別の実施の形態を示す模式図である。
【符号の説明】
１…排水処理槽（排水処理装置）
１０…第１嫌気濾床槽
２０…第２嫌気濾床槽
３０…担体流動生物濾過槽（処理槽）
３５…散気装置、３５ａ…散気管（散気部）
３６…逆洗装置、３６ａ…逆洗管
４０…処理水槽
５０…消毒槽
７０…第１エアリフトポンプ
７３…第１エアー供給配管、７３ａ…分配弁
８０…ブロワ
Ｃ３…粒状担体
【図１】
0003986814.tif 000002
【図２】
0003986814.tif 000003
【図３】
0003986814.tif 000004
【図４】
0003986814.tif 000005
【図５】
0003986814.tif 000006
【図６】
0003986814.tif 000007
【図７】
0003986814.tif 000008
【図８】
0003986814.tif 000009